(57)【要約】【課題】本体部と蓋体の隙間をシール部材で塞いで放熱を抑えることができ、且つシール部材を取り外して洗浄することができ、常に清潔な状態にすることができる、炊飯器を提供する。【解決手段】炊飯器は、上面を開口した内釜収納部を有する本体部と、内釜収納部に着脱自在に装着された内釜と、本体部に回動自在に取り付けられて本体部の上面開口を開閉可能に覆う蓋体と、本体部の外側面及び蓋体の外側面に沿って取り付けられ、蓋体を閉じた状態において本体部と蓋体との間の隙間を塞ぐ弾性体からなるシール部材と、を備えている。蓋体には、本体部と対向する端面に嵌合孔が形成されている。シール部材には、嵌合孔に嵌め込まれて係止する係止部が設けられている。シール部材は、係止部が嵌合孔に嵌め込まれて係止することで、蓋体に着脱自在に取り付けられている。【選択図】図５
2018153343.tif 000002
【特許請求の範囲】
【請求項１】
上面を開口した内釜収納部を有する本体部と、
前記内釜収納部に着脱自在に装着された内釜と、
前記本体部に回動自在に取り付けられて前記本体部の上面開口を開閉可能に覆う蓋体と、
前記本体部の外側面及び前記蓋体の外側面に沿って取り付けられ、前記蓋体を閉じた状態において前記本体部と前記蓋体との間の隙間を塞ぐ弾性体からなるシール部材と、を備え、
前記蓋体には、前記本体部と対向する端面に嵌合孔が形成され、
前記シール部材には、前記嵌合孔に着脱自在に嵌め込まれて係止する係止部が設けられており、
前記シール部材は、前記係止部が前記嵌合孔に嵌め込まれて係止することで、前記蓋体に取り付けられる、炊飯器。
【請求項２】
上面を開口した内釜収納部を有する本体部と、
前記内釜収納部に着脱自在に装着された内釜と、
前記本体部に回動自在に取り付けられて前記本体部の上面開口を開閉可能に覆う蓋体と、
前記本体部の外側面及び前記蓋体の外側面に沿って取り付けられ、前記蓋体を閉じた状態において前記本体部と前記蓋体との間の隙間を塞ぐ弾性体からなるシール部材と、を備え、
前記本体部には、前記蓋体と対向する開口端面に嵌合孔が形成され、
前記シール部材には、前記嵌合孔に着脱自在に嵌め込まれて係止する係止部が設けられており、
前記シール部材は、前記係止部が前記嵌合孔に嵌め込まれて係止することで、前記本体部に取り付けられる、炊飯器。
【請求項３】
前記本体部には、前記蓋体と対向する開口端面に、前記嵌合孔に向かって突き出す干渉部が設けられており、
前記係止部は、前記蓋体を閉じる際に、前記干渉部によって前記嵌合孔に押し込まれて嵌め込まれる、請求項１に記載の炊飯器。
【請求項４】
前記本体部には、開口端面から外側面にかけて配置された化粧用の装飾部材が取り付けられている、請求項１に記載の炊飯器。
【請求項５】
前記装飾部材には、前記嵌合孔に向かって突き出す干渉部が設けられており、
前記係止部は、前記蓋体を閉じる際に、前記干渉部によって前記嵌合孔に押し込まれて嵌め込まれる、請求項４に記載の炊飯器。
【請求項６】
前記装飾部材は、前記本体部の外側面に沿った形状を成す装飾面部と、前記装飾面部から本体部側に向かって突き出し、前記本体部の開口端面に載置される載置部と、を有しており、
前記載置部に前記干渉部が設けられている、請求項５に記載の炊飯器。
【請求項７】
前記蓋体には、前記本体部と対向する端面に、前記嵌合孔に向かって突き出す干渉部が設けられており、
前記係止部は、前記蓋体を閉じる際に、前記干渉部によって前記嵌合孔に押し込まれて嵌め込まれる、請求項２に記載の炊飯器。
【請求項８】
前記シール部材は、前記本体部の外側面及び前記蓋体の外側面に沿った形状を成し、前記本体部と前記蓋体との間の隙間を塞ぐ外側面部と、
前記外側面部から前記本体部側に向かって突き出し、前記本体部の開口端面と前記蓋体とに挟持される挟持部と、を有し、
前記挟持部に前記係止部が設けられている、請求項１〜７のいずれか一項に記載の炊飯器。
【発明の詳細な説明】
【技術分野】
【０００１】
本発明は、蓋体と本体部との隙間を塞いで放熱を抑制するシール部材を備えた炊飯器に関するものである。
【背景技術】
【０００２】
従来、炊飯器は、上面を開口した内釜収納部を有する本体部と、内釜収納部に着脱自在に装着された内釜と、本体部に回動自在に取り付けられて本体部の上面開口を開閉可能に覆う蓋体と、を備えている。例えば特許文献１には、蓋体を閉じた状態において、内釜と本体部の隙間を全周に亘って塞ぐボディシール部が内蓋に固定された構成の炊飯器が開示されている。内釜と本体部との隙間から出る空気の上昇流をボディシール部で止めることで放熱を抑え、省エネを実現するためである。
【先行技術文献】
【特許文献】
【０００３】
【特許文献１】特開２０１１−３６７１４号公報
【発明の概要】
【発明が解決しようとする課題】
【０００４】
特許文献１の炊飯器は、内釜と本体部との隙間から出る空気の上昇流をボディシール部で止めて放熱を抑えることができる。しかし、ボディシール部は、一端側が蓋体を貫通し、蓋体の内部で固定されているため、蓋体から取り外すことができない。そのため、この炊飯器は、長期間の使用によりボディシール部に汚れが溜まり不衛生となる虞がある。ボディシール部は、蓋体に固定したままで汚れを拭き取ることもできるが、内釜と本体部の隙間をシールするために内方へ向かって屈曲させた形状であるため拭き難く、完全に汚れを拭き取ることが難しい。
【０００５】
本発明は、上記のような課題を解決するためになされたもので、本体部と蓋体の隙間をシール部材で塞いで放熱を抑えることができ、且つシール部材を取り外して洗浄することができ、常に清潔な状態にすることができる、炊飯器を提供することを目的とする。
【課題を解決するための手段】
【０００６】
本発明に係る炊飯器は、上面を開口した内釜収納部を有する本体部と、前記内釜収納部に着脱自在に装着された内釜と、前記本体部に回動自在に取り付けられて前記本体部の上面開口を開閉可能に覆う蓋体と、前記本体部の外側面及び前記蓋体の外側面に沿って取り付けられ、前記蓋体を閉じた状態において前記本体部と前記蓋体との間の隙間を塞ぐ弾性体からなるシール部材と、を備え、前記蓋体には、前記本体部と対向する端面に嵌合孔が形成され、前記シール部材には、前記嵌合孔に着脱自在に嵌め込まれて係止する係止部が設けられており、前記シール部材は、前記係止部が前記嵌合孔に嵌め込まれて係止することで、前記蓋体に取り付けられるものである。
【発明の効果】
【０００７】
本発明に係る炊飯器は、嵌合孔を係止部に嵌め込んでシート部材を取り付けることで、蓋体を閉じた状態において本体部と蓋体との隙間を塞ぐことができるので、放熱を抑えることができ、省エネ効果を高めることができる。また、シール部材は、弾性体で形成されており、係止部を引き抜くことで嵌合孔から容易に取り外すことができるので、取り外して洗浄することができ、常に清潔な状態にすることができる。
【図面の簡単な説明】
【０００８】
【図１】本発明の実施の形態１に係る炊飯器を前面側から見た斜視図である。
【図２】本発明の実施の形態１に係る炊飯器であって、蓋体を閉じた状態における内部構造を示した縦断面図である。
【図３】本発明の実施の形態１に係る炊飯器であって、蓋体を開いた状態を示した平面図である。
【図４】本発明の実施の形態１に係る炊飯器のシール部材を示した斜視図である。
【図５】（Ａ）及び（Ｂ）は、本発明の実施の形態１に係る炊飯器であって、シール部材の係止部が嵌合孔に嵌め込まれる様子を示した図２のＸ部拡大図である。
【図６】本発明の実施の形態１に係る炊飯器の異なる形態であって、蓋体を開いた状態を示した平面図である。
【図７】（Ａ）及び（Ｂ）は、図６に示した異なる形態の炊飯器であって、シール部材の係止部が嵌合孔に嵌め込まれる様子を示した要部拡大断面図である。
【図８】（Ａ）及び（Ｂ）は、本発明の実施の形態２に係る炊飯器であって、シール部材の係止部が嵌合孔に嵌め込まれる様子を示した要部拡大断面図である。
【発明を実施するための形態】
【０００９】
以下、本発明の実施の形態に係る炊飯器について図面を参照して説明する。なお、この図面の形態によって本発明が限定されるものではない。また、以下の図面では各構成部材の大きさの関係が実際のものとは異なる場合がある。
【００１０】
実施の形態１．
図１は、本発明の実施の形態１に係る炊飯器を前面側から見た斜視図である。図２は、本発明の実施の形態１に係る炊飯器であって、蓋体を閉じた状態における内部構造を示した縦断面図である。図３は、本発明の実施の形態１に係る炊飯器であって、蓋体を開いた状態を示した平面図である。図１〜図３に示す実施の形態１に係る炊飯器１００は、被加熱物（例えば米及び水）を加熱して炊き上げる家庭用炊飯器である。炊飯器１００は、図１及び図２に示すように、上面を開口した内釜収納部１０を内部に有する本体部１と、内釜収納部１０に着脱自在に装着された内釜５と、図示省略のヒンジ機構部によって本体部１に回動自在に連結されて本体部１の上面開口を開閉可能に覆う蓋体２と、を備えている。
【００１１】
本体部１は、図１及び図２に示すように、外観が有底筒状とされ、内釜５を内部に着脱自在に装着する内釜収納部１０と、内釜５を誘導加熱する加熱コイル１３と、内釜５の温度を検知する鍋底温度センサー１４と、内釜５の胴部を加熱させる胴ヒーター１５と、を有している。本体部１は、内蔵された図示省略の制御部によって、各部及び各装置を駆動制御して炊飯工程を実行する。
【００１２】
本体部１の前面側には、蓋体２の開閉を行う蓋開閉ボタン１２が設けられている。使用者は、蓋開閉ボタン１２を押すことで、蓋体２の閉状態が解除され、図３に示すように、本体部１を開口させることができる。
【００１３】
内釜収納部１０は、本体部１の上面開口の内周部に嵌合された略環状の支持枠１０ａと、内釜５の形状に対応して有底筒状に形成され、支持枠１０ａに一体的に接続されたコイルベース１０ｂと、で構成されており、内部に内釜５が着脱自在に装着される。支持枠１０ａの上面が、本体部１の開口端面に相当する。また、図２に示すように、支持枠１０ａには、内釜収納部１０の開口縁に沿って、内釜５を置くための肩部１０ｃが設けられている。
【００１４】
支持枠１０ａには、肩部１０ｃに隣接した箇所に、内釜収納部１０の開口縁に沿った溝部１０ｄが形成されている。溝部１０ｄは、蓋体２を開状態とした際に、蓋体２に付着した露を下方で受け止める露受け部として機能する。
【００１５】
内釜５は、図２に示すように、有底円筒形状を有し、誘導加熱により発熱する炭素材で構成される。なお、内釜５は、例えばセラミック等の非金属材料で形成される容器（いわゆる土鍋）またはアルミ等の金属鋳造容器であっても良い。内釜５の内部には、被加熱物である米及び水が収容される。内釜５は、開口縁に沿って外側へ向かって突出するフランジ部５ａが全周にわたって設けられている。
【００１６】
蓋体２の上面部には、操作表示部１６が配置されている。操作表示部１６は、使用者からの操作入力を受け付けるとともに、操作入力に関する情報及び炊飯器１００の動作状態を表示する。なお、図１に示した操作表示部１６の具体的構成や配置は一例であり、本発明を限定するものではない。例えば、操作表示部１６は、本体部１の前面に設けてもよい。
【００１７】
制御部は、鍋底温度センサー１４及び操作表示部１６からの出力に基づいて、加熱部に通電する高周波電流の制御など、炊飯器１００の動作全般を制御する。制御部は、その機能を実現する回路デバイスのようなハードウェアで構成することができ、またはマイコンやＣＰＵのような演算装置と、その上で実行されるソフトウェアとにより構成することもできる。制御部は、制御基板に実装され、内釜収納部１０に固定される。
【００１８】
蓋体２は、本体部１の上面開口を開閉可能に覆うものである。蓋体２は、図１及び図２に示すように、蓋体２の上部を構成する外蓋３と、外蓋３に着脱自在に取り付けられ、蓋体２で本体部１の上面開口を閉じた際に、内釜５の上部開口を閉塞する内蓋４と、を有している。内蓋４は、内釜５に対向する部分である外蓋３の下部に、図示省略の内蓋係止部材を介して取り付けられている。
【００１９】
蓋体２は、外蓋３の一端部がヒンジ機構部によって本体部１の上部に連結されている。蓋体２は、ヒンジ機構部のヒンジバネによって、本体部１から離れて本体部１の開口を開く方向に付勢されている。そして、蓋体２は、閉じた状態で蓋開閉ボタン１２が押下されると、ヒンジバネの付勢力により、ヒンジ軸を中心として回転し、本体部１から離れる。これにより、本体部１は、開口が開かれる。
【００２０】
なお、詳細に図示することは省略したが、内蓋４には、内釜５の内部で発生した蒸気が通る蒸気口が設けられている。外蓋３には、内蓋４に形成された蒸気口に通じる蒸気取入口と、蒸気取入口を通過した蒸気を外部へ排出する蒸気排出口２０とが設けられている。蒸気は、蒸気口および蒸気取入口を通過し、蒸気排出口２０から外へ放出される。
【００２１】
実施の形態１の炊飯器１００には、図１及び図２に示すように、本体部１の外側面及び蓋体２の外側面に沿って取り付けられ、本体部１と蓋体２との間の隙間を塞ぐ弾性体からなるシール部材７が設けられている。シール部材７は、本体部１と蓋体２との隙間を塞いで、放熱を抑える目的で設けられている。
【００２２】
図４は、本発明の実施の形態１に係る炊飯器のシール部材を示した斜視図である。図５（Ａ）及び（Ｂ）は、本発明の実施の形態１に係る炊飯器であって、シール部材の係止部が嵌合孔に嵌め込まれる様子を示した図２のＸ部拡大図である。図４及び図５に示すように、本体部１の支持枠１０ａと対向する外蓋３の端面に、嵌合孔６が形成されており、嵌合孔６に着脱自在に嵌め込まれて係止する係止部７２がシール部材７に設けられている。シール部材７は、係止部７２が嵌合孔６に嵌め込まれて係止することで、蓋体２に取り付けられる。
【００２３】
シール部材７は、一例としてシリコンゴム等の弾性体で構成されている。シール部材７は、図４に示すように、本体部１の外側面及び蓋体２の外側面に沿った略Ｃ字形状を成し、本体部１と蓋体２との間の隙間を塞ぐ外側面部７０と、外側面部７０から本体部１側に向かって突き出し、本体部１の開口端面と外蓋３の端面とに挟持される挟持部７１と、を有している。また、挟持部７１には、蓋体２の嵌合孔６に向かって突き出す係止部７２が設けられている。
【００２４】
外側面部７０は、本体部１の背面側に設けられたヒンジ機構部との干渉を避けるために背面側を切り欠いた略Ｃ字形状としているが、この形状に限定されない。また、外側面部７０の前面側には、蓋開閉ボタン１２との干渉を避けるために蓋体２側に向かって凹んだ凹部７３が形成されている。外側面部７０の縦幅は、本体部１と蓋体２との間の隙間を塞ぐことができる寸法であればよい。
【００２５】
挟持部７１は、外側面部７０の内周面から本体部１側に向かって略水平方向に突き出している。挟持部７１は、平面的に見て外側面部７０に沿った略Ｃ字形状である。挟持部７１の上面には、蓋体２の嵌合孔６に向かって突き出すように係止部７２が間隔をあけて９個設けられている。
【００２６】
係止部７２は、図５（Ａ）及び（Ｂ）に示すように、挟持部７１の上面から上方に延びる軸部７２ａと、軸部７２ａの上端部に設けられた円錐台形状の頭部７２ｂと、を有している。係止部７２は、図２及び図５に示すように、嵌合孔６に嵌め込んだ頭部７２ｂの下部を、嵌合孔６の内側開口縁に掛け止めて係止される。なお、詳細に図示することは省略したが、係止部７２は、平面的に見て挟持部７１の形状に沿った湾曲形状でもよい。要するに、係止部７２は、嵌合孔６に嵌め込まれて係止する形状であれば、他の形状でもよい。また、図示した係止部７２の個数は一例であって、１個以上あればよい。
【００２７】
嵌合孔６は、図５（Ａ）及び（Ｂ）に示すように、本体部１の支持枠１０ａに対向する外蓋３の端面に形成されている。嵌合孔６は、本体部１の開口縁に沿って溝状に形成されている。これにより、係止部７２を嵌合孔６へ嵌め込む際に、位置合わせの必要がなくなり、作業性を高めることができる。但し、嵌合孔６は、係止部７２に対応する位置に間隔をあけて複数形成した構成でもよい。
【００２８】
また、本体部１の支持枠１０ａには、蓋体２の嵌合孔６に向かって突き出す干渉部８が設けられている。干渉部８は、蓋体２を閉じる際に、係止部７２を嵌合孔６に押し込んで嵌め込むために設けられている。干渉部８は、蓋体２の嵌合孔６に向かって突き出すように、支持枠１０ａの上面を傾斜させて形成されている。干渉部８は、本体部１の開口縁に沿って連続して形成されており、係止部７２を嵌合孔６へ確実に嵌め込むことができる。
【００２９】
ここで、図５に基づいてシール部材７の係止部７２を嵌合孔６に嵌め込む要領を説明する。係止部７２は、蓋体２を開いた状態で、使用者が嵌合孔６へ指で押し込んで嵌め込まれる。仮に、複数の係止部７２のうち、嵌合孔６へ嵌め込み忘れた係止部７２があっても、蓋体２を閉じると、図５（Ａ）に示すように、干渉部８が挟持部７１の下面に当接して嵌合孔６に係止部７２を押し込み、図５（Ｂ）に示すように、係止部７２が嵌合孔６に嵌め込まれる。このように、シール部材７は、蓋体２を閉めることで係止部７２を嵌合孔６に確実に嵌め込むことができる。また、シール部材７は、シリコン等の弾性体で形成されているので、係止部７２を嵌合孔６から引き抜くことで容易に取り外すことができ、長期間の使用によって汚れた場合には、取り外して洗浄することができ、常に清潔な状態にすることができる。
【００３０】
なお、図６は、本発明の実施の形態１に係る炊飯器の異なる形態であって、蓋体を開いた状態を示した平面図である。図７（Ａ）及び（Ｂ）は、図６に示した異なる形態の炊飯器であって、シール部材の係止部が嵌合孔に嵌め込まれる様子を示した要部拡大断面図である。図６に示した炊飯器１００は、干渉部８の形状が図２、図３及び図５に示した構成と異なっている。具体的には、干渉部８は、蓋体２の嵌合孔６に向かって突き出す突起部８０として、本体部１の支持枠１０ａに設けられている。突起部８０は、シール部材７の係止部７２の位置及び個数に合わせて、本体部１の開口縁に沿って間隔をあけて９つ設けられている。
【００３１】
つまり、図６に示した炊飯器１００は、蓋体２を閉めると、図７（Ａ）に示すように、突起部８０が挟持部７１の下面に当接して嵌合孔６に係止部７２を押し込み、図７（Ｂ）に示すように、係止部７２が嵌合孔６に嵌め込まれる構成である。
【００３２】
なお、干渉部８は、上記図１〜図７に示した構成に限定されず、蓋体２を閉じる際に、係止部７２を嵌合孔６に押し込むことできれば、他の構成でもよい。
【００３３】
上記したように、本実施の形態に係る炊飯器１００は、本体部１の外側面及び蓋体２の外側面に沿って取り付けられ、本体部１と蓋体２との間の隙間を塞ぐ弾性体からなるシール部材７を備えている。蓋体２には、本体部１と対向する端面に嵌合孔６が形成されている。また、シール部材７には、嵌合孔６に着脱自在に嵌め込まれて係止する係止部７２が設けられている。シール部材７は、係止部７２が嵌合孔６に嵌め込まれて係止することで、蓋体２に取り付けられる。よって、炊飯器１００は、本体部１と蓋体２との隙間をシール部材７で塞いで放熱を抑えることができ、省エネ効果を高めることができる。また、シール部材７は、弾性体で形成されており、係止部７２を引き抜くことで嵌合孔６から容易に取り外すことができるので、取り外して洗浄することができ、常に清潔な状態にすることができる。
【００３４】
また、本体部１には、蓋体２と対向する開口端面に、嵌合孔６に向かって突き出す干渉部８が設けられている。係止部７２は、蓋体２を閉じる際に、干渉部８によって嵌合孔６に押し込まれて嵌め込まれる。よって、炊飯器１００は、蓋体２を閉じただけで、蓋体２にシール部材７を簡単に且つ確実に取り付けることができるので、作業性の向上を図ることができる。
【００３５】
シール部材７は、本体部１の外側面及び蓋体２の外側面に沿った形状を成し、本体部１と蓋体２との間の隙間を塞ぐ外側面部７０と、外側面部７０から本体部１側に向かって突き出し、本体部１の開口端面と蓋体２とに挟持される挟持部７１と、を有し、挟持部７１に係止部７２が設けられている。よって、炊飯器１００は、シール部材７がシンプルで簡易な構成であるため、製造が容易でコスト削減に寄与でき、その上使い勝手に優れている。
【００３６】
なお、詳細に図示することは省略したが、実施の形態１の炊飯器１００は、蓋体２と対向する本体部１の支持枠１０ａに嵌合孔を形成した構成でもよい。つまり、シール部材７は、係止部７２が支持枠１０ａに形成した嵌合孔に着脱自在に嵌め込まれて係止することで、本体部１に取り付けられる。この場合では、本体部１の支持枠１０ａと対向する外蓋３の端面に、シール部材７の係止部７２へ向かって突き出す干渉部を設けるものとする。係止部７２は、蓋体２を閉じる際に、干渉部によって嵌合孔に押し込まれて嵌め込まれる。
【００３７】
実施の形態２．
次に、本発明の実施の形態２に係る炊飯器を図８に基づいて説明する。図８（Ａ）及び（Ｂ）は、本発明の実施の形態２に係る炊飯器であって、シール部材の係止部が嵌合孔に嵌め込まれる様子を示した要部拡大断面図である。なお、実施の形態１で説明した炊飯器１００と同一の構成について、同一の符号を付して、その説明を適宜省略する。
【００３８】
実施の形態２に係る炊飯器の本体部１は、図８（Ａ）、（Ｂ）に示すように、支持枠１０ａから外側面にかけて配置された化粧用の装飾部材９を有している。装飾部材９は、メッキを施したプラスチック或いは板金であり、蓋体２を開けた際に、支持枠１０ａと本体部１の外側面との境目を覆って意匠性を高めるために設けられている。装飾部材９は、本体部１の外側面に沿ったリング状の装飾面部９０と、装飾面部９０の内側面から本体部１側に向かって突き出し、本体部１の支持枠１０ａの上面に載置される載置部９１と、を有している。
【００３９】
装飾面部９０は、シール部材７の外側面部７０よりも本体部１側であり、且つ挟持部７１の下方に配置されている。そのため、装飾面部９０は、蓋体２を閉じるとシール部材７が被さって見えない。なお、本体部１の外側面の上端には、内方に向かって凹む段差部が形成されており、この段差部に装飾面部９０の下端部が支持されている。
【００４０】
載置部９１は、平面的に見て装飾面部９０に沿ったリング状に形成されている。載置部９１の上面には、蓋体２の嵌合孔６に向かって突き出す干渉部８が設けられている。干渉部８は、一例として図６及び図７に基づいて説明した突起部８０として構成されている。突起部８０は、係止部７２に対応する位置であって、本体部１の開口縁に沿って間隔をあけて複数設けられている。但し、干渉部８は、図示した突起部８０に限定されず、載置部９１を嵌合孔６へ向かって突き出すように傾斜させた構成でもよいし、他の構成でもよい。
【００４１】
実施の形態２の炊飯器は、蓋体２を閉めると、図８（Ａ）に示すように、突起部８０が挟持部７１の下面に当接して嵌合孔６に係止部７２を押し込み、図８（Ｂ）に示すように、係止部７２が嵌合孔６に嵌め込まれる。
【００４２】
したがって、実施の形態２の炊飯器も、本体部１と蓋体２との隙間をシール部材７で塞いで放熱を抑えることができ、省エネ効果を高めることができる。また、シール部材７は、弾性体で形成されており、係止部７２を引き抜くことで嵌合孔６から容易に取り外すことができるので、取り外して洗浄することができ、常に清潔な状態にすることができる。
【００４３】
また、本体部１は、開口端面から外側面にかけて配置された化粧用の装飾部材９を有しているので、蓋体２を開けた際に、支持枠１０ａと本体部１の外側面との境目を覆うことができ、意匠性を高めることができる。
【００４４】
また、装飾部材９には、嵌合孔６に向かって突き出す干渉部８が設けられている。係止部７２は、蓋体２を閉じる際に、干渉部８によって嵌合孔６に押し込まれて嵌め込まれる。よって、実施の形態２の炊飯器は、蓋体２にシール部材７を確実に取り付けることができるとともに、蓋体２へ取り付ける作業が容易となり、作業性の向上に寄与することができる。
【００４５】
また、装飾部材９は、本体部１の外側面に沿った形状を成す装飾面部９０と、装飾面部９０から本体部１側に向かって突き出し、本体部１の開口端面に載置される載置部９１と、を有したシンプルで簡易な構成であるため、製造コストを削減することができる。
【００４６】
以上に本発明を実施の形態に基づいて説明したが、本発明は上述した実施の形態の構成に限定されるものではない。例えば、本体部１の形状は、円筒形状に限定されるものではなく立方体または直方体であっても良い。また、図示した炊飯器の内部構成は、一例であって、上述した内容に限定されるものではなく、他の構成要素を含んだ炊飯器であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００４７】
１  本体部、２  蓋体、３  外蓋、４  内蓋、５  内釜、５ａ  フランジ部、６  嵌合孔、７  シール部材、８  干渉部、９  装飾部材、１０  内釜収納部、１０ａ  支持枠、１０ｂ  コイルベース、１０ｃ  肩部、１０ｄ  溝部、１２  蓋開閉ボタン、１３  加熱コイル、１４  鍋底温度センサー、１５  胴ヒーター、１６  操作表示部、２０  蒸気排出部、７０  外側面部、７１  挟持部、７２  係止部、７２ａ  軸部、７２ｂ  頭部、７３  凹部、８０  突起部、９０  装飾面部、９１  載置部、１００  炊飯器。
【図１】
2018153343.tif 000003
【図２】
2018153343.tif 000004
【図３】
2018153343.tif 000005
【図４】
2018153343.tif 000006
【図５】
2018153343.tif 000007
【図６】
2018153343.tif 000008
【図７】
2018153343.tif 000009
【図８】
2018153343.tif 000010